(57)【要約】      （修正有）【課題】従来よりも小さなスペースに設置できるコージェネレーションシステムに好適な貯湯ユニットを提供する。【解決手段】貯湯ユニット２０は、加熱された湯を貯める貯湯タンク２１と、貯湯タンク２１の側面に接して配置された全固体電池２６で構成される蓄電装置２２とを備える。さらに、前記貯湯タンク２１を包囲する断熱材を備え、前記固体電池２６は、前記貯湯タンク２１と前記断熱材とに挟まれた空間に配置されている。【選択図】図１
2018189336.tif 000002
【特許請求の範囲】
【請求項１】
加熱された湯を貯める貯湯タンクと、
前記貯湯タンクの側面に接して配置された全固体電池で構成される蓄電装置と、
を備える貯湯ユニット。
【請求項２】
さらに、前記貯湯タンクを包囲する断熱材を備え、
前記全固体電池は、前記貯湯タンクと前記断熱材とに挟まれた空間に配置されている
請求項１記載の貯湯ユニット。
【請求項３】
前記全固体電池は、前記貯湯タンクに近い側に位置する正極と、前記貯湯タンクから遠い側が位置する負極とを有する
請求項１又は２記載の貯湯ユニット。
【請求項４】
前記蓄電装置は、前記貯湯タンクの側面に沿って積み重ねられた複数の全固体電池で構成され、
前記貯湯ユニットは、さらに、前記複数の全固体電池から、下方に位置する全固体電池を優先して全固体電池を選択し、選択した前記全固体電池から給電させる制御をする制御部を備える
請求項１〜３のいずれか１項に記載の貯湯ユニット。
【請求項５】
請求項１〜４のいずれか１項に記載の貯湯ユニットと、
熱及び電力を発生し、発生した熱で、前記貯湯ユニットが備える貯湯タンクに貯められる湯を生成する熱電併給装置と
を備えるコージェネレーションシステム。
【請求項６】
前記制御部は、さらに、前記複数の全固体電池から、上方に位置する全固体電池を優先して全固体電池を選択し、選択した前記全固体電池に対して前記熱電併給装置が発生した電力で充電を行う制御をする
請求項５記載のコージェネレーションシステム。
【発明の詳細な説明】
【技術分野】
【０００１】
本発明は、貯湯ユニット及びコージェネレーションシステムに関し、特に、蓄電装置を有する貯湯ユニット等に関する。
【背景技術】
【０００２】
コージェネレーションシステムは、燃料電池等の熱及び電力を発生する熱電併給装置からの熱を利用して加熱された湯を貯湯タンクに貯める。発生した電力は電気負荷により消費される。電力と共に発生する熱を有効利用することにより、総合発電効率が高められる。
【０００３】
従来、このような熱電併給装置で発生した電力を有効活用する様々な技術が提案されている（例えば、特許文献１参照）。特許文献１では、コージェネレーションシステムに蓄電装置を接続しておくことで、余剰な発電電力を蓄電装置に充電しておき、必要に応じて蓄電装置を放電させる。これにより、熱電併給装置で発生した電力を自家消費することで経済性が向上される。
【先行技術文献】
【特許文献】
【０００４】
【特許文献１】特開２００２−４８００５号公報
【発明の概要】
【発明が解決しようとする課題】
【０００５】
しかしながら、特許文献１のコージェネレーションシステムでは、独立した貯湯タンクと蓄電装置とを備える必要があるために、設置スペースが大きくなるという問題がある。その結果、ある程度の設置スペースを有していない家庭では、特許文献１のような蓄電装置を備えるコージェネレーションシステムを設置することができない。
【０００６】
そこで、本発明は、蓄電装置を備えるコージェネレーションシステムであって、従来よりも小さなスペースに設置できるコージェネレーションシステム、及び、そのようなコージェネレーションシステムに好適な貯湯ユニットを提供することを目的とする。
【課題を解決するための手段】
【０００７】
上記目的を達成するために、本発明の一形態に係る貯湯ユニットは、加熱された湯を貯める貯湯タンクと、前記貯湯タンクの側面に接して配置された全固体電池で構成される蓄電装置とを備える。
【０００８】
上記目的を達成するために、本発明の一形態に係るコージェネレーションシステムは、上記貯湯ユニットと、熱及び電力を発生し、発生した熱で、前記貯湯ユニットが備える貯湯タンクに貯められる湯を生成する熱電併給装置とを備える。
【発明の効果】
【０００９】
本発明により、蓄電装置を備えるコージェネレーションシステムであって、従来よりも小さなスペースに設置できるコージェネレーションシステム、及び、そのようなコージェネレーションシステムに好適な貯湯ユニットが実現される。
【図面の簡単な説明】
【００１０】
【図１】実施の形態に係るコージェネレーションシステムの構成を示すブロック図
【図２Ａ】図１に示された貯湯ユニットにおける貯湯タンク及び蓄電装置の位置関係、並びに、蓄電装置からの給電時に使用される蓄電ユニットの順を示す図
【図２Ｂ】図１に示された貯湯ユニットにおける貯湯タンク及び蓄電装置の位置関係、並びに、蓄電装置への充電時に使用される蓄電ユニットの順を示す図
【図３】図１に示された貯湯ユニットの外観図
【図４Ａ】図１に示された貯湯ユニットの構造例を示す断面図
【図４Ｂ】実施の形態の変形例に係る貯湯ユニットの構造例を示す断面図
【発明を実施するための形態】
【００１１】
（本発明の基礎となった知見）
蓄電装置を備える従来のコージェネレーションシステムでは、貯湯タンクと蓄電装置とが別体であるために、大きな設置スペースを必要とする、つまり、装置容量が大きいという課題がある。
【００１２】
この課題を解決するために、本発明は、貯湯タンクの側面に接するように蓄電装置を配置するものである。
【００１３】
従来の蓄電装置を構成する、電解液を使用する二次電池は、可燃性の有機溶媒を使用していることから、破裂や発火といった危険がある。また、電解液の揮発や沸騰の懸念があるため、最高使用可能温度は概ね６０℃程度である。したがって、貯湯タンクに近接して配置されることはなかった。
【００１４】
近年開発が進んでいる全固体電池は、有機電解液の代わりに固体電解質と呼ばれるリチウムイオン伝導性のセラミックスを使用することで、電池部材に液体が使用されず、上述したような電解液に起因する種々の問題が原理的に解決されることが期待されている。したがって、全固体電池で構成される蓄電装置であれば、貯湯タンクの側面に接するように配置することができ、装置容量を削減することができる。
【００１５】
また、貯湯タンクは、水道水が加熱された湯を貯める。一般に貯湯タンクの周囲は湯が冷めないように断熱材で囲われる。本発明では、断熱材に代えて、あるいは、断熱材に加えて、貯湯タンクに接するように全固体電池が配置される。つまり、全固体電池が断熱材としても機能する。
【００１６】
全固体電池で構成される蓄電装置は、内側、つまり、貯湯タンクに近い側がお湯で温められ、外側、つまり、貯湯タンクから遠い側が外気で冷やされることになる。蓄電装置を上下方向に複数の蓄電ユニットに分割した場合、貯湯タンクにおいては湯が下から蓄積されるため、下方の蓄電ユニットから内側が温められることになる。
【００１７】
全固体電池は、温度が高い方がよい特性を示す。電池反応は化学反応であるため、基本的には低温時に反応が起こりにくくなる（例えば、非特許文献１：２０１２年１月ＳＥＩテクニカルレビュー第１８０号「広い動作温度域を持つ全固体リチウム電池の開発」Ｐ９１参照）。つまり、低温時には電池の内部抵抗が高くなり出力特性は低下する。したがって、お湯で温められる部分の蓄電ユニットを使用する方が効率的である。
【００１８】
以上のことから、本発明では、蓄電装置は上下方向に複数の蓄電ユニットに分割されており、お湯の蓄積に応じて、使用する蓄電ユニットを切り替える制御を行っている。具体的には、蓄電装置による給電時には、下方の蓄電ユニットを優先して給電させる。つまり、下方の蓄電ユニットから給電させ、その蓄電容量がなくなった場合に、その上方に位置する蓄電ユニットから給電させる。
【００１９】
このように、本発明では、貯湯タンクと蓄電装置とが一体化され、これによって、装置容量が低減され、かつ、蓄電装置が効率よく使用される。また、給電時には、下方に位置する蓄電ユニットから給電させることで、湯によって温められて電池反応が起こりやすい全固体電池が優先して給電に使用され、高い給電効率が得られる。
【００２０】
（実施の形態）
以下、本発明の実施の形態について、図面を用いて詳細に説明する。なお、以下で説明する実施の形態は、いずれも本発明の一具体例を示すものである。以下の実施の形態で示される数値、形状、材料、構成要素、構成要素の配置位置及び接続形態、ステップ、ステップの順序等は、一例であり、本発明を限定する主旨ではない。また、以下の実施の形態における構成要素のうち、本発明の最上位概念を示す独立請求項に記載されていない構成要素については、任意の構成要素として説明される。また、各図は、必ずしも厳密に図示したものではない。各図において、実質的に同一の構成については同一の符号を付し、重複する説明は省略又は簡略化する。
【００２１】
図１は、実施の形態に係るコージェネレーションシステム１０の構成を示すブロック図である。コージェネレーションシステム１０は、バックアップ熱源器１１、熱交換器１２、熱電併給装置１３、コンバータ１４、インバータ１５、給湯管１６、循環配管１７、及び、貯湯ユニット２０で構成される。
【００２２】
貯湯ユニット２０は、加熱された湯を貯める貯湯タンク２１と、貯湯タンク２１の側面に接して配置された全固体電池２６で構成される蓄電装置２２とを備える。本実施の形態では、蓄電装置２２は、複数の蓄電ユニット（第１蓄電ユニット２３、第２蓄電ユニット２４、第３蓄電ユニット２５）で構成される。第１蓄電ユニット２３、第２蓄電ユニット２４、及び、第３蓄電ユニット２５は、いずれも、１以上の全固体電池２６が直列又は並列に接続されて構成され、給電及び充電において同時に動作する単位である。第１蓄電ユニット２３、第２蓄電ユニット２４、及び、第３蓄電ユニット２５は、この順で、下方から積み重ねられている。全固体電池２６は、全固体リチウムイオン二次電池であり、例えば、硫化物系固体電解質を用いた全固体電池である。
【００２３】
貯湯ユニット２０は、さらに、蓄電装置２２からの給電時、及び、蓄電装置２２への充電時に、動作の対象となる蓄電ユニットを選択する制御をする制御部２７を備える。具体的な制御については、図２Ａ及び図２Ｂを用いて、後述する。制御部２７は、給電及び充電の対象となる蓄電ユニットを切り替える継電器、継電器を制御するマイクロコンピュータ等で構成される。マイクロコンピュータは、プログラムが格納されたＲＯＭ、プログラム及びデータを一時的に保持するＲＡＭ、プログラムを実行するプロセッサ、タイマ、デジタル信号及びアナログ信号用の入出力ポート等を有する。
【００２４】
熱電併給装置１３は、熱及び電力を発生し、発生した熱で、貯湯ユニット２０が備える貯湯タンク２１に貯められる湯を生成する装置であり、例えば、燃料電池、ガスタービンエンジン、ガスエンジン、ディーゼルエンジン等（本実施の形態では、燃料電池）である。なお、熱電併給装置１３には、熱電併給装置１３の運転及び停止を制御するマイクロコンピュータで構成されるコントローラが備えられているが、図示は省略されている。このコントローラによる制御の下で、貯湯ユニット２０が有する制御部２７が動作する。なお、コントローラ及び制御部２７は、一つのマイクロコンピュータで実現されてもよい。
【００２５】
循環配管１７は、貯湯タンク２１の下部から水を取り出し、熱交換器１２で加熱された湯を貯湯タンク２１の上部から貯湯タンク２１内に供給する配管である。なお、循環配管１７の途中に水を循環させるポンプが設けられているが、ポンプの図示が省略されている。他の循環配管、給湯管についても同様である。
【００２６】
熱交換器１２は、熱電併給装置１３で発生した熱で、循環配管１７で送られてきた水を加熱する。
【００２７】
給湯管１６は、貯湯タンク２１に蓄えられた湯を浴槽、台所、洗面所、シャワー等の熱負荷に供給する配管である。
【００２８】
バックアップ熱源器１１は、温熱を補給する補助熱源であり、例えば、ガス焚きボイラーであり、貯湯タンク２１内の湯が不足したとき等に、作動し、給湯管１６を介して不足分の湯を補充する。
【００２９】
コンバータ１４は、熱電併給装置１３で発生した交流電力を直流電力に変換する、又は、熱電併給装置１３で発生した直流電圧を蓄電装置２２への充電に適した直流電圧に変換する装置である。
【００３０】
インバータ１５は、熱電併給装置１３からコンバータ１４を介して出力される直流電力及び蓄電装置２２から放電された直流電力を交流電力に変換し、中継器等（図示せず）を介して、照明や各種電気機器等の電気負荷に供給する。
【００３１】
以上のように、本実施の形態に係るコージェネレーションシステム１０が備える貯湯ユニット２０は、加熱された湯を貯める貯湯タンク２１と、貯湯タンク２１の側面に接して配置された全固体電池２６で構成される蓄電装置２２とを備える。
【００３２】
これにより、貯湯タンク２１と全固体電池２６とを備える貯湯タンク２１において、貯湯タンク２１の側面に接して全固体電池２６が配置されるので、従来よりも小さなスペースに設置できるコージェネレーションシステム１０、及び、そのようなコージェネレーションシステム１０に好適な貯湯ユニット２０が実現される。また、全固体電池２６が貯湯タンク２１の断熱材として機能するので、貯湯タンク２１内の湯が冷めにくい。
【００３３】
図２Ａは、図１に示された貯湯ユニット２０における貯湯タンク２１及び蓄電装置２２の位置関係、並びに、蓄電装置２２からの給電（放電）時に使用される蓄電ユニットの順を示す図である。なお、本図は、貯湯ユニット２０の模式断面図である。最も下方に位置する第１蓄電ユニット２３は、２つの第１蓄電ユニット２３ａ及び２３ｂの集まりとして図示され、その上に配置される第２蓄電ユニット２４は、２つの第２蓄電ユニット２４ａ及び２４ｂの集まりとして図示され、最も上方に配置される第３蓄電ユニット２５は、２つの第３蓄電ユニット２５ａ及び２５ｂの集まりとして図示されている。
【００３４】
本図に示されるように、第１蓄電ユニット２３ａ及び２３ｂ、第２蓄電ユニット２４ａ及び２４ｂ、並びに、第３蓄電ユニット２５ａ及び２５ｂは、いずれも、貯湯タンク２１に近い側に正極を有し、貯湯タンク２１から遠い側に負極を有する。つまり、各蓄電ユニットを構成する全固体電池２６は、貯湯タンク２１に近い側に正極が位置し、貯湯タンク２１から遠い側に負極が位置するように配置されている。
【００３５】
これにより、全固体電池２６の正極及び負極のうち、一般に内部抵抗が高い正極が貯湯タンク２１に近い側に位置し、貯湯タンク２１内の湯によって温められて電池反応が起こりやすくなるので、正極の内部抵抗が低下し得る。
【００３６】
また、本図に示されるように、蓄電装置２２からの給電時には、制御部２７は、下方の蓄電ユニットから順に（第１蓄電ユニット２３ａ及び２３ｂ、第２蓄電ユニット２４ａ及び２４ｂ、第３蓄電ユニット２５ａ及び２５ｂの順に）、放電させる。つまり、制御部２７は、複数の全固体電池２６から、下方に位置する全固体電池２６を優先して選択し、選択した全固体電池２６から給電させる制御をする。つまり、蓄電装置２２は、鉛直方向に複数に分割され、放電時は鉛直下方の蓄電ユニットから放電され、鉛直下方の放電が完了すると、放電が完了した蓄電ユニットの鉛直上方に位置する充電ユニットの放電が開始される。
【００３７】
これにより、貯湯タンク２１では下方から湯が蓄積されていくので、下方に位置する全固体電池２６を優先して給電させることで、湯によって温められて電池反応が起こりやすい能力の高い全固体電池２６が優先して給電に使用される。
【００３８】
図２Ｂは、図１に示された貯湯ユニット２０における貯湯タンク２１及び蓄電装置２２の位置関係、並びに、蓄電装置２２への充電時に使用される蓄電ユニットの順を示す図である。なお、本図は、図２Ａと同様、貯湯ユニット２０の模式断面図である。最も下方に位置する第１蓄電ユニット２３は、２つの第１蓄電ユニット２３ａ及び２３ｂの集まりとして図示され、その上に配置される第２蓄電ユニット２４は、２つの第２蓄電ユニット２４ａ及び２４ｂの集まりとして図示され、最も上方に配置される第３蓄電ユニット２５は、２つの第３蓄電ユニット２５ａ及び２５ｂの集まりとして図示されている。
【００３９】
本図に示されるように、蓄電装置２２への充電時には、制御部２７は、上方の蓄電ユニットから順に（第３蓄電ユニット２５ａ及び２５ｂ、第２蓄電ユニット２４ａ及び２４ｂ、第１蓄電ユニット２３ａ及び２３ｂの順に）、充電させる。つまり、制御部２７は、複数の全固体電池２６から、上方に位置する全固体電池２６を優先して選択し、選択した全固体電池２６に対して熱電併給装置１３が発生した電力による充電を行う制御をする。つまり、蓄電装置２２は、鉛直方向に複数に分割され、充電時は鉛直上方の蓄電ユニットから充電され、鉛直上方の充電が完了すると、充電が完了した蓄電ユニットの鉛直下方に位置する充電ユニットの充電が開始される。なお、充電と並行して湯が生成され、貯湯タンク２１への給湯が行われる。
【００４０】
これにより、熱電併給装置１３で発生した熱で温められた湯が貯湯タンク２１の上方から供給されることに対応して、熱電併給装置１３で発生した電力によって上方の全固体電池２６が優先されて充電される。よって、熱電併給装置１３で発生した熱も電力も上方の位置を優先して蓄積されることになり、ユーザにとって蓄熱及び蓄電が優先される位置が直感的に把握し易いコージェネレーションシステム１０が実現される。
【００４１】
図３は、図１に示された貯湯ユニット２０の外観図である。本図では、貯湯ユニット２０の一部が破断され、部分断面も示されている。
【００４２】
本図に示されるように、貯湯ユニット２０では、貯湯タンク２１の側面に沿って複数の全固体電池２６が積み重ねられ、それら複数の全固体電池２６によって、下方から順に、第１蓄電ユニット２３、第２蓄電ユニット２４、及び、第３蓄電ユニット２５が構成される。
【００４３】
また、貯湯ユニット２０は、貯湯タンク２１を包囲する断熱材２８を備える。本実施の形態では、貯湯ユニット２０の筐体２９の内側面に断熱材２８が取り付けられている。そして、全固体電池２６は、貯湯タンク２１と断熱材２８とに挟まれた空間に配置されている。断熱材２８は、例えば、発泡スチロール、発泡ウレタン等である。
【００４４】
これにより、貯湯タンク２１は、全固体電池２６と断熱材２８とで包囲されるので、貯湯タンク２１に対して高い保温効果が維持される。
【００４５】
図４Ａは、図１に示された貯湯ユニット２０の構造例を示す断面図である。ここでは、貯湯ユニット２０を水平な面で切断したときの模式断面図が示されている。
【００４６】
本図に示される例では、貯湯ユニット２０は、全体として直方体形状を有し、直方体形状の貯湯タンク２１と、貯湯タンク２１の３つの側面に接して配置された全固体電池２６で構成される蓄電装置２２と、直方体形状の筐体２９と、筐体２９の内側面に取り付けられた断熱材２８とを備える。
【００４７】
このような構造の貯湯ユニット２０により、設置スペースを無駄にしないで効率的に設置できる、全体として直方体形状の貯湯タンクが実現される。なお、本図では、貯湯タンク２１の３つの側面に接して全固体電池２６が配置されたが、貯湯タンク２１の１つ、２つ、又は、４つの側面に接して全固体電池２６が配置されてもよい。これらは、要求される貯湯ユニット２０の全体としての形状、サイズに合わせて、適宜、決定すればよい。
【００４８】
図４Ｂは、実施の形態の変形例に係る貯湯ユニット２０ａの構造例を示す断面図である。ここでは、図４Ａと同様に、貯湯ユニット２０ａを水平な面で切断したときの模式断面図が示されている。
【００４９】
本図に示される例では、貯湯ユニット２０ａは、全体として円筒形状を有し、円筒形状の貯湯タンク２１ａと、貯湯タンク２１ａの側面に接して配置された全固体電池２６で構成される蓄電装置２２と、円筒形状の筐体２９ａと、筐体２９ａの内側面に取り付けられた断熱材２８ａとを備える。
【００５０】
このような構造の貯湯ユニット２０ａにより、全体として円筒形状の貯湯タンクが実現される。なお、本図では、貯湯タンク２１ａの側面の全周に接して全固体電池２６が配置されたが、貯湯タンク２１の側面の周方向における一部にだけ接するように全固体電池２６が配置されてもよい。これらは、要求される貯湯ユニット２０ａの全体としての形状、サイズに合わせて、適宜、決定すればよい。
【００５１】
以上のように、本実施の形態に係るコージェネレーションシステム１０が備える貯湯ユニット２０は、加熱された湯を貯める貯湯タンク２１と、貯湯タンク２１の側面に接して配置された全固体電池２６で構成される蓄電装置２２とを備える。
【００５２】
これにより、貯湯タンク２１と全固体電池２６とを備える貯湯タンク２１において、貯湯タンク２１の側面に接して全固体電池２６が配置されるので、従来よりも小さなスペースに設置できるコージェネレーションシステム１０、及び、そのようなコージェネレーションシステム１０に好適な貯湯ユニット２０が実現される。また、全固体電池２６が貯湯タンク２１の断熱材として機能するので、貯湯タンク２１内の湯が冷めにくい。
【００５３】
また、貯湯ユニット２０は、貯湯タンク２１を包囲する断熱材２８を備え、全固体電池２６は、貯湯タンク２１と断熱材２８とに挟まれた空間に配置されている。
【００５４】
これにより、貯湯タンク２１は、全固体電池２６と断熱材２８とで包囲されるので、貯湯タンク２１に対して高い保温効果が維持される。
【００５５】
また、全固体電池２６は、貯湯タンク２１に近い側に正極が位置し、貯湯タンク２１から遠い側に負極が位置するように配置されている。
【００５６】
これにより、全固体電池２６の正極及び負極のうち、一般に内部抵抗が高い正極が貯湯タンク２１に近い側に位置し、貯湯タンク２１内の湯によって温められて電池反応が起こりやすくなるので、正極の内部抵抗が低下し得る。
【００５７】
また、蓄電装置２２は、貯湯タンク２１の側面に沿って積み重ねられた複数の全固体電池２６で構成され、貯湯ユニット２０は、複数の全固体電池２６から、下方に位置する全固体電池２６を優先して選択し、選択した全固体電池２６から給電させる制御部２７を備える。
【００５８】
これにより、貯湯タンク２１では下方から湯が蓄積されていくので、下方に位置する全固体電池２６を優先して給電させることで、湯によって温められて電池反応が起こりやすい能力の高い全固体電池２６が優先して給電に使用される。
【００５９】
また、制御部２７は、複数の全固体電池２６から、上方に位置する全固体電池２６を優先して選択し、選択した全固体電池２６に対して熱電併給装置１３が発生した電力による充電を行う制御をする。
【００６０】
これにより、熱電併給装置１３で発生した熱で温められた湯が貯湯タンク２１の上方から供給されることに対応して、熱電併給装置１３で発生した電力によって上方の全固体電池２６が優先されて充電される。よって、熱電併給装置１３で発生した熱も電力も上方の位置を優先して蓄積されることになり、ユーザにとって蓄熱及び蓄電が優先される位置が直感的に把握し易いコージェネレーションシステム１０が実現される。
【００６１】
以上、本発明の貯湯ユニット及びコージェネレーションシステムについて、実施の形態及び変形例に基づいて説明したが、本発明は、これらの実施の形態及び変形例に限定されるものではない。本発明の主旨を逸脱しない限り、当業者が思いつく各種変形を本実施の形態及び変形例に施したものや、実施の形態及び変形例における一部の構成要素を組み合わせて構築される別の形態も、本発明の範囲内に含まれる。
【００６２】
例えば、上記実施の形態及び変形例では、全固体電池２６は、貯湯タンク２１及び２１ａに接して配置されたが、貯湯タンク２１及び２１ａに直接、接して配置されるだけでなく、貯湯タンク２１及び２１ａに、熱伝導率の高い接着部材等を介して間接的に接して配置されてもよい。貯湯タンク２１及び２１ａの熱が効率的に全固体電池２６に伝達され得るからである。
【００６３】
また、上記実施の形態及び変形例では、貯湯タンク２１及び２１ａは、断熱材２８及び２８ａと筐体２９及び２９ａとを備えたが、必ずしも、断熱材２８及び２８ａと筐体２９及び２９ａとの一方又は両方を備えなくてもよい。貯湯タンク２１及び２１ａの側面に接して配置される全固体電池２６が断熱材及び筐体として機能し得るからである。
【００６４】
また、上記実施の形態では、制御部２７は、マイクロコンピュータを備えたが、これに限られず、熱電併給装置１３が有するコントローラの下で動作する継電器だけで構成されたり、貯湯タンク２１の下層、中層、上層の温度を計測する温度センサと、その温度センサに連動して動作させる蓄電ユニットを切り替える半導体スイッチとで構成されたりしてもよい。
【産業上の利用可能性】
【００６５】
本発明は、蓄電装置を備えるコージェネレーションシステム及び貯湯ユニットとして、特に、従来よりも小さなスペースに設置できるコージェネレーションシステム、及び、そのようなコージェネレーションシステムに好適な貯湯ユニットとして、利用できる。
【符号の説明】
【００６６】
１０  コージェネレーションシステム
１１  バックアップ熱源器
１２  熱交換器
１３  熱電併給装置
１４  コンバータ
１５  インバータ
１６  給湯管
１７  循環配管
２０、２０ａ  貯湯ユニット
２１、２１ａ  貯湯タンク
２２  蓄電装置
２３、２３ａ、２３ｂ  第１蓄電ユニット
２４、２４ａ、２４ｂ  第２蓄電ユニット
２５、２５ａ、２５ｂ  第３蓄電ユニット
２６  全固体電池
２７  制御部
２８、２８ａ  断熱材
２９、２９ａ  筐体
【図１】
2018189336.tif 000003
【図２Ａ】
2018189336.tif 000004
【図２Ｂ】
2018189336.tif 000005
【図３】
2018189336.tif 000006
【図４Ａ】
2018189336.tif 000007
【図４Ｂ】
2018189336.tif 000008